【手続補正書】
【提出日】平成17年12月12日(2005.12.12)
【手続補正１】
【補正対象書類名】明細書
【補正対象項目名】特許請求の範囲
【補正方法】変更
【補正の内容】
【特許請求の範囲】
【請求項１】  印加された可変電圧に応答して所望の音波信号に基く音響出力を放出する静電エミッタ・フィルムと、
前面と中間コア部と後面とを持つ第１の発泡部材と、
静電エミッタ・フィルムを支持するに充分な固さを持ち、前記前面に対する可変電圧の印加が所望の音波信号を供給することを可能にする導電特性を含む組成からなる少なくとも前記前面と、を備え、
前記前面は、各空洞を画定する周囲の壁部構造を持つ小空洞を含む面を含み、前記周囲の壁部構造は、前記発泡部材の前面と略々一致する接触縁部で終り、
前記静電エミッタ・フィルムを前記発泡部材の前面に貼付するフィルム貼付手段と、
前記フィルムが前記前面により直接的に支持されるように、該前面の接触縁部との直接接点を偏倚させる偏倚手段と、
信号ソースを前記スピーカ装置に結合して、音波信号を含む可変電圧を供給する結合手段と、
を備えるスピーカ装置。
【請求項２】  前記発泡部材が、前面と中間コア部と後面の各々を形成する単一の発泡部材を含む、請求項１に記載の装置。
【請求項３】  前記発泡部材が開放セル構造を含む請求項１記載のスピーカ装置。
【請求項４】  発泡部材の剛性を増加させるため該発泡部材に一体に取付けられた補強部材を更に備える、請求項１に記載の装置。
【請求項５】  前記空洞は約１０マイクロメートルから約２センチメートルまでの直径範囲にわたる、請求項１に記載の装置。
【請求項６】  前記周囲の壁部構造は、５マイクロメートルから約５ミリメートルまでの範囲内の壁部厚さを有する、請求項１に記載の装置。
【請求項７】  前記スピーカ装置に結合された音波信号ソースを更に備え、前記音波信号ソースは搬送波と側波帯音波信号とを供給し、前記搬送波は超音波周波数範囲内に含まれる、請求項１に記載の装置。
【請求項８】  前記発泡構造は、前記各前面と各後面間の空気伝達を阻止する閉鎖セル組成を含む、請求項７に記載の装置。
【請求項９】  印加された可変電圧に応答して超音波出力を放出する静電エミッタ・フィルムと、
前面を持つ第１のステータと、を備え、
前記第１のステータは、静電エミッタ・フィルムを支持するに充分な固さを持ちかつ可変電圧の印加が所望の音波出力を供給することを可能にする導電特性を含む組成を含み、
前記前面は、各空洞を画定する周囲壁部構造を持つ小空洞を含む面を含み、前記周囲壁部構造がステータの前面と略々一致する接触縁部で終り、
静電エミッタ・フィルムを前記ステータの前面に貼付するフィルム貼付手段と、
前記フィルムが前記前面により直接的に支持されるように、該前面の接触縁部と直接接触状態にフィルムを偏倚させる偏倚手段と、
スピーカ装置に結合され音波信号を含む可変電圧を供給する信号ソースと、
をさらに備える超音波スピーカ装置。
【請求項１０】  前記信号ソースは側波帯音響信号と混合された超音波搬送波を供給し、前記側波帯音波信号は、音響的ヘテロダイン原理に従って周囲空気中でデカップルされる音響信号を含み音響出力を発生する、請求項９に記載の装置。
【請求項１１】  前記ステータは、各前面と後面間の空気伝達を阻止するための閉鎖セル構造を含む、請求項１０記載の装置。
【請求項１２】  前記ステータは、各前面、中間コア部および後面を形成する単一発泡構造を含む、請求項９に記載の装置。
【請求項１３】  前記ステータは、開口セル構造を含む、請求項９に記載の装置。
【請求項１４】  前記空洞が約１０マイクロメートルから約２センチメートルまでの範囲から選択される直径を有する、請求項９に記載の装置。
【請求項１５】  前記静電エミッタ・フィルムは、前記ステータと非接触関係にあって前記フィルムが前記第１の前面と可変電圧に容量的に応答することを可能にする導電性面を含み、前記フィルムが実質的に非導電性ポリマー組成からなる、請求項９に記載の装置。
【請求項１６】  前記後面は妨害されない超音波の伝達を阻止する非多孔質の部材を含む、請求項９に記載の装置。
【請求項１７】  前面と中間コア部と後面とを持つ第２のステータを更に備え、第２のステータの前記前面（第２の前面）は前記第１のステータから静電エミッタ・フィルムの反対側に配置され、
前記第２の前面は、静電エミッタ・フィルムを支持するに充分な固さを持ちかつ可変電圧の印加が所望の超音波信号を前記第２の前面に供給することを可能にする導電特性を含む組成を含み、
前記第２の前面は、各空洞を画定する周囲の壁部構造を持つ小空洞を含む面を含み、前記周囲壁部構造が、前記ステータの前面と略々一致する接触縁部で終り、
静電エミッタ・フィルムを前記第２のステータの前面に貼付するフィルム貼付手段を備え、
前記偏倚手段は、前記フィルムが前記第２の前面により直接的に支持されるように、前記第２のステータに結合されて前記フィルムを第２の前面の接触縁部と直接接触状態に偏倚させ、
前記信号ソースは、側波帯音響信号と混合する超音波信号を含む可変電圧を持つ前記第２の前面に対して前記超音波信号ソースを結合する手段を含み、
前記静電エミッタ・フィルムは、第１および第２のステータの各々と非接触関係にあり該第１および第２の前面と可変電圧に対しプッシュプル関係に容量的に応答することを可能にする導電層を含む、
請求項９に記載の装置。
【請求項１８】  前記静電エミッタ・フィルムは、導電性の中間層の反対側に非導電性層間に配置された導電性中間層を含む、請求項１７に記載の装置。
【請求項１９】  スピーカ装置であって、
可変電圧に応答して所望の超音波信号に基く超音波出力を放出する静電エミッタ・フィルムと、
前面と中間コア部と後面とを持つ支持部材と、
を備え、
少なくとも前記前面は、前記静電エミッタ・フィルムを支持するに充分な固さを持ちかつ前記前面に対する可変電圧の印加が音響側波帯と混合された所望の超音波搬送波を供給することを可能にする導電特性を含む組成からなり、
前記前面は、各空洞を画定する周囲の壁部構造を持つ小空洞を含み、該周囲壁部構造が、前記支持部材の前面と略々一致する接触縁部で終り、
静電エミッタ・フィルムを前記支持手段の前面に貼付する貼付手段と、
前記フィルムが前記前面により直接的に支持されるように、該フィルムを前面の接触縁部と直接接触状態に偏倚させる偏倚手段と、
スピーカ装置に結合され、音響側波帯信号と混合されて可変電圧を供給する超音波ソースと、
を備えるスピーカ装置。
【請求項２０】  印加された可変電圧に応答して放射された超音波信号に基きデカップルされた音響出力を放出する静電エミッタ・フィルムと、
前面と中間コア部と後面とを持つ第１の支持部材と、
を備え、
前記第１の支持部材は、静電エミッタ・フィルムを支持するに充分な固さを持ちかつ可変電圧の印加が音響側波帯信号と混合された超音波搬送波を供給することを可能にする導電特性を含む組成を含み、
前記前面は、各空洞を画定する周囲の壁部構造を持つ小空洞を含む面を含み、前記周囲壁部構造は、前記支持部材の前面と略々一致する接触縁部で終り、
前記静電エミッタ・フィルムを支持部材の前面に貼付するフィルム貼付手段と、
前記静電エミッタ・フィルムと、導電特性を持つ第１の支持部材の導電性組成との間に配置された絶縁手段と、
前記フィルムが前記前面により直接的に支持されるように、該フィルムを前面の接触縁部と接触状態に偏倚させる偏倚手段と、
スピーカ装置に結合され、音響側波帯信号を含む可変電圧を供給して音響的ヘテロダイン原理に従って超音波信号から周囲の空気中でデカップルされる超音波信号ソースと、
を備えるスピーカ装置。
【請求項２１】  ａ）前面に対する可変電圧の印加が音響側波帯信号と混合された超音波信号を供給することを可能にする導電特性を含む周囲の壁部構造により画定される前面の小空洞を持つステータを選択するステップと、
ｂ）印加された可変電圧に応答して超音波出力を放出する静電エミッタ・フィルムを前記ステータの前面に対して貼付するステップと、
ｃ）前記フィルムが静電エミッタとしてステータの可変電圧に応答するように、前面に関して該フィルムを偏倚させるステップと、
ｄ）ステータとエミッタの組合わせに対して、音響側波帯を持つ超音波搬送波を含む可変電圧を供給するステップと、
ｅ）音響的ヘテロダイン原理に従って超音波信号から周囲の空気中でデカップルされるために、圧縮超音波を前記エミッタから周囲の空気へ伝搬するステップと、
を含む音波エネルギを伝搬させる方法。
【請求項２２】  非線形媒体として空気中で複数の超音波周波数の相互作用に基づきパラメトリック音響出力を発生する方法であって、
ａ）音響周波数範囲内にある値に差を有する少なくとも２つの超音波信号を含む電子信号発生するステップと、
ｂ）空気中で相互作用する圧縮超音波として隔膜から空気中に超音波信号を放出するステップと、
を含む方法。
【請求項２３】  ａ）導電性エミッタ・フィルムと、
ｂ）導電特性を含む前面を有する第１の支持部材と、超音波範囲内の特別の共振周波数を与える複数の空洞と、
ｃ）前記導電性エミッタ・フィルムと第１の支持部材間に位置する絶縁手段と、
ｄ）前記前面および前記複数の空洞上の前記導電性エミッタ・フィルムを偏倚させる偏倚手段と、
ｅ）前記導電性エミッタ・フィルムと第１の支持部材に結合され、周囲空気への伝搬のために音響側波帯を持つ超音響搬送波信号を供給するパラメトリック信号ソースと、
を含むスピーカ装置。
【請求項２４】  前記複数の空洞は異なる大きさを持ち、超音波範囲内に異なる共振周波数を与える、請求項２３に記載のスピーカ装置。
【請求項２５】  前記複数の空洞は前記絶縁手段を通り全体的に延長する、請求項２３に記載のスピーカ装置。
【請求項２６】  前記発泡部材は、前記前面、中間部分および後面を形成するため、統合的に共に結合された少なくとも２つの異なる発泡から構成されている、請求項１に記載の装置。
【請求項２７】  前記スピーカ装置は管状構造の外面を形成する発泡部材の前記前面を持つ前記管状構造に構成されている、請求項１に記載の装置。
【請求項２８】  前記偏倚手段とフィルム貼付手段とエミッタ・フィルムは、前記前面の中心部周囲の接触縁部と直接的な接触を生じるように構成され、前記エミッタ・フィルムが動作中に前記中心部から変位されて強化された低周波応答を生じる、請求項１に記載の装置。
【請求項２９】  前面と中間コア部と後面とを持つ第２の発泡部材を更に備え、第２の発泡部材の前記前面（第２の前面）が前記第１の発泡部材から静電エミッタ・フィルムの反対側に配置され、
全体的に前面は、静電エミッタ・フィルムを支持するに充分な固さを持ちかつ前記第２の前面に対する可変電圧の印加が所望の音波信号を供給することを可能にする導電特性を含む組成からなり、
前記第２の前面は、各空洞を画定する周囲の壁部構造を持つ小空洞を含む面を含み、前記周囲壁部構造が、発泡部材の前面と略々一致する接触縁部で終り、
静電エミッタ・フィルムを前記第２の発泡部材の前面に貼付するフィルム貼付手段を備え、
前記偏倚手段は、前記フィルムが前記第２の前面により直接的に支持されるように、前記第２の発泡部材に結合されて前記フィルムを第２の前面の接触縁部と直接接触状態に偏倚させ、
前記結合手段は、音波信号を含む可変電圧を持つ前記第２の前面に対して信号ソースを結合する手段を含み、
前記静電エミッタ・フィルムが、第１および第２の発泡部材の各々と非接触関係にあり該第１および第２の前面と可変電圧に対しプッシュプル関係に容量的に応答することを可能にする導電層を含む、
請求項１に記載の装置。
【請求項３０】  前記エミッタ・フィルムは、導電性の中間層の反対側に非導電性の露出層間に配置された前記導電性中間層を含む、請求項２９に記載の装置。
【請求項３１】  可変電圧に応答して所望の音響信号に基づき音響出力を放出する静電エミッタ・フィルムと、
前面と中間コア部と後面とを持つ支持部材と、
を備え、
少なくとも前記前面が、前記静電エミッタ・フィルムを支持するに充分な固さを持ちかつ前記前面に対する可変電圧の印加が所望の音響信号を供給することを可能にする導電特性を含む組成からなり、
前記前面が、各空洞を画定する周囲の壁部構造を持つ小空洞を含み、該周囲壁部構造が、前記支持部材の前面と略々一致する接触縁部で終り、
静電エミッタ・フィルムを前記支持手段の前面に貼付する貼付手段と、
前記フィルムが前記前面により直接的に支持されるように、該フィルムを前面の接触縁部と直接接触状態に偏倚させる偏倚手段と、
スピーカ装置に結合されて可変電圧を供給する音響ソースと、
を備えるスピーカ装置。
【請求項３２】  ａ）前面に対する可変電圧の印加が所望の音波信号を供給することを可能にする導電特性を含む周囲の壁部構造により画定される前面の小空洞を持つ発泡部材を選択するステップと、
ｂ）印加された可変電圧に応答して所望の音波信号に基く音響出力を放出する静電エミッタ・フィルムを前記発泡部材の前面に対して貼付するステップと、
ｃ）前記フィルムが静電エミッタとして発泡部材の可変電圧に応答するように、前面に関して該フィルムを偏倚させるステップと、
ｄ）可変電圧を発泡部材とエミッタの組み合わせに対して供給するステップと、
ｅ）圧縮音波を前記エミッタから周囲の空気へ伝搬させるステップと、
を含む音波エネルギを伝搬させる方法。
【請求項３３】  エミッタ・フィルムと、
前記エミッタ・フィルムに結合され、前記エミッタ・フィルムが超音波周波数を伝搬するように動作可能にする支持部材と、
前記支持部材に関係して前記エミッタ・フィルムを偏倚させる偏倚手段と、
前記エミッタ・フィルムと支持部材に結合され、音響出力を生成するために、音響側波帯を持つ超音波搬送信号を周囲の空気中に供給するパラメトリック信号ソースと、
を備えるパラメトリックスピーカ装置。
【請求項３４】  非線形媒体として空気中で複数の超音波周波数の相互作用に基づきパラメトリック音響出力を発生する方法であって、
ａ）音響周波数範囲内にある値に差を有する少なくとも２つの超音波信号を含む電子信号発生するステップと、
ｂ）前記電子信号をフィルム変換器ダイアフラムへ伝達するステップと、
ｃ）前記電子信号を前記ダイアフラムでパラメトリックスピーカの駆動部材として機械的変位に直接変換するステップと、
ｄ）パラメトリック音響出力を発生するために、空気内で相互作用する圧縮超音波として少なくとも２つの超音波信号を前記ダイアフラムから空気中へ機械的に放出するステップと、
を含む方法。